(57)【要約】本発明は自動車用ホイールカバーに関し、このホイールカバーは、円板形状を有し内部に液体を充填したフローティングチャンバー2と、ベアリング4を介して車輌のホイール6に回転可能に装着される回転ケース8+10と、ディスク形状を有し回転ケース8+10のフローティングチャンバー2内に設置され、その下側には重錘16を備えフローティングチャンバー2の内部において浮上した状態で一定の方向を維持し得る図案板12+14とから構成される。図案板の外側面にはさまざまな絵や模様が描かれており、回転ケース8+10の外側面は、図案板12+14に描かれた絵や模様が見えるように透明な材料で構成されている。【選択図】図１
2004535973.tif 000002
【特許請求の範囲】
【請求項１】
円板形状を有し内部に液体を充填したフローティングチャンバー2と、ベアリング4を介して車輌のホイール6に回転可能に装着される回転ケース8+10と、ディスク形状を有し回転ケース8+10のフローティングチャンバー2内に設置され、その下側には重錘16を備えフローティングチャンバー2の内部において浮上した状態で一定の方向を維持し得る図案板12+14とから構成され、図案板の外側面にはさまざまな絵や模様が描かれており、回転ケース8+10の外側面は、図案板12+14に描かれた絵や模様が見えるように透明な材料で構成したことを特徴とする自動車用ホイールカバー。
【請求項２】
ホイール6の外側に、内部に挿入部22を有する保護ケース18+20を固定的に装着し、この保護ケース18+20の内部の中間部には、ホイール6と同軸であってその外部にベアリング4が結合される回転軸28を設け、ホイールカバーを保護ケース18+20の挿入部22に挿入して設置し、回転ケース8+10を保護し得るようにしたことを特徴とする請求項１の自動車用ホイールカバー。
【発明の詳細な説明】
【技術分野】
【０００１】
本発明は自動車用ホイールカバーに関し、より詳細には、自動車ホイールの回転に影響されることなく、常に一定の方向を維持する図案板を備え、この図案板を利用して装飾または広告効果を得られるようにした、新たな構成の自動車用ホイールカバーに関する。
【背景技術】
【０００２】
一般に自動車は、運送手段として開発され、使用されているが、最近、生活水準が高くなるに従って、単純な運送手段の機能だけでなく、自動車所有者の個性や社会的地位を表示する手段としての機能を果たすようになってきた。このような特徴は、個人が購入して用いる自家用車の場合、とくに顕著にあらわれる。
【０００３】
従って、自動車製作会社は、このような顧客の要求を充足させることができるように、多様で独特なデザインの車輌を開発し、販売している。
【０００４】
一方、最近ではこのような要求がいっそう強くなって、自動車のホイールまでが、多様な材質をもって、多様なデザインで製作されるようになってきた。
【０００５】
しかし自動車のホイールは、車輌の運行時に高速で回転するため、多様なデザインを施したものを製作しても、車輌の運行時にはホイールの形態を見ることはできない。したがって、ホイールが高速で回転しても、ホイールとともに回転することなく、ホイールを装飾し得る手段が必要とされるようになった。（韓国特許出願第１９９９−０２１９７２号）
【０００６】
出願人は、上記したような目的を達成することを意図し、その下側に重錘を付けた図案板を、車輌のホイールに回転可能に装着して、車輌のホイールが回転しても図案板は回転せず、常に一定の方向を維持するようにしたホイールカバーを発明して、すでに提案した。
【０００７】
その図案板は、車輌のホイールにベアリングで回転可能に装着されるか、またはホイールに装着され、内部に液体を充填したケースの内部に図案板を挿入して、液体の浮力により図案板が浮かぶように構成したものであって、図案板の下側に設けた重錘により、ホイールが回転しても図案板は回転することなく、一定の方向を維持する。
【０００８】
しかし、このような図案板を車輌のホイールにベアリングで装着した場合、車輌が屈曲のない平坦な道路を一定な速度で定速走行しているときには、図案板が一定の方向を維持するが、車輌が発進したり停止したりするときのように、車輌が加減速するか、または車輌が走行中に道路の突出部や陥没部を通過するときに、装着した重錘により図案板に偏心力が作用するため、図案板がひどく動揺して、装飾効果を発揮し難いという問題があった。
【０００９】
液体の浮力により図案板が浮かぶように構成した場合、液体はベアリングのような機械要素とはことなって、ケースが一定速度以下で回転している限りは安定な状態を維持しながら、車輌の加減速や動揺により発生する運動エネルギーを吸収するため、図案板はその下側に付いている重錘により、一定な方向を維持することができる。このような現象は、円筒形に構成された容器の内部に水を入れた状態で、筒を回転させたり筒を叩いたりしても、水に浮かぶ木の葉は動かず元の位置に浮かんでいることをみれば、確認することができる。
【００１０】
しかし、ケースが臨界速度、すなわち液体がケースの回転力を吸収し得る速度を超える速度で回転させられる場合には、発明者が行なった実験によれば、自動車を時速８０ｋｍを超える速度で運行したときには、液体がケースとともに回転し、この液体に浮かんでいる図案板もまた、ケースとともに高速で回転してしまうという問題が生じる。このような現象は、最近多く使用される洗濯機において、円筒形の洗濯筒を回転させると、その内部の水と洗濯物とが洗濯筒とともに回転することにより、確認することができる（ただし、この種の洗濯機の場合、洗濯筒に多数の突起を設けて洗濯筒の抵抗を高めることにより、洗濯筒が低速で回転しても水と洗濯物が洗濯筒とともに回転するようにしたという点で、差異はある）。
【００１１】
つまり、浮力を利用するホイールカバーは、一定速度以下で車輌が走行する場合には振動や加減速に影響を受けず、図案板が一定の方向を維持する能力が、前記したベアリングを利用する構造にくらべて非常にすぐれているが、車輌が高速で走行する場合には図案板がホイールと同一の速度で回転してしまい、図案板に描かれた絵を見ることはとうていできなくなるというのが問題点である。
【発明の開示】
【発明が解決しようとする課題】
【００１２】
本発明は上述した諸問題を解決するためのものであって、その目的は、車両の加減速や振動にかかわらず、内部に配置した図案板が一定な方向を維持し得るようにした、新たな構造の自動車用ホイールカバーを提供することにある。
【課題を解決するための手段】
【００１３】
本発明の自動車用ホイールカバーは、図に示すように、円板形状を有し内部に液体を充填したフローティングチャンバー2と、ベアリング4を介して車輌のホイール6に回転可能に装着される回転ケース8+10と、ディスク形状を有し回転ケース8+10のフローティングチャンバー2内に設置され、その下側には重錘16を備えフローティングチャンバー2の内部において浮上した状態で一定の方向を維持し得る図案板12+14とから構成され、図案板の外側面にはさまざまな絵や模様が描かれており、回転ケース8+10の外側面は、図案板12+14に描かれた絵や模様が見えるように透明な材料で構成したことを特徴とする。
【００１４】
本発明の自動車用ホイールカバーの別の態様は、ホイール6の外側に、内部に挿入部22を有する保護ケース18+20を固定的に装着し、この保護ケース18+20の内部の中間部には、ホイール6と同軸であってその外部にベアリング4が結合される回転軸28を設け、ホイールカバーを保護ケース18+20の挿入部22に挿入して設置し、回転ケース8+10を保護し得るようにしたことを特徴とする。
【発明の効果】
【００１５】
本発明によれば、液体が充填された回転ケース8+10のフローティングチャンバー2内に図案板12+14を設置し、この回転ケース8+10を、ベアリング4を介してホイール6に回転可能に装着することにより、車輌の加減速や振動にかかわらず、内部に備えた図案板12+14が一定の方向を維持することができるようにした、新たな構造の自動車用ホイールカバーが提供される。
【発明を実施するための最良の形態】
【００１６】
以下、本発明の好ましい実施例を、添付図面を参照して説明する。
【００１７】
図１ないし図３は、本発明による自動車用ホイールカバーを図示したものであって、このホイールカバーは、その内部に液体を充填したフローティングチャンバー2を備え、ベアリング4を介して車輌のホイール6に回転可能に装着される回転ケース8+10と、この回転ケース8+10のフローティングチャンバー2内に設置される図案板12+14とから構成される。
【００１８】
回転ケース8+10は、中空の円板形状を有し、外側が開いたケース本体8と、このケース本体8の外側に結合してケース本体8を密閉するカバー10とに分割して製作され、ケース本体8とカバー10とを相互に結合して組立てることにより構成される。ベアリング4は、ケース本体8の背面に固定的に結合される。ここで、カバー10は透明な材質の合成樹脂で製作され、回転ケース8+10の内部に設置された図案板12+14を肉眼で観察し得るように構成される。回転ケース8+10の内部に充填される液体としては、比較的粘度が低く、かつ、熱により性質が変化しないオイルや不凍液を利用するとよい。
【００１９】
図案板12+14は、合成樹脂材料で製作されたディスク12の外側面に、さまざまな文字や絵または図形が印刷された図案シート14を貼り付けて構成したものであって、ディスク12の下側には、金属材料製の重錘16を設ける。この図案板12+14は、回転ケース8+10の内部に充填される液体の浮力により浮かぶ程度の重さに製作すべきものであって、回転ケース8+10の内部で浮かんでいることによって、この図案板12+14は、重錘16により常に一定の方向を維持する。
【００２０】
この回転ケース8+10は、車輌のホイール6に固定的に装着される保護ケース18+20の内部に装着される。この保護ケース18+20は、回転ケース8+10よりも大きな直径を有するように製作され、その内部には回転ケース8+10が挿入される挿入部22が形成されているものであって、図示してないボルトにより車輌のホイール6の外側に固定的に装着される内側ケース18と、この内側ケース18に結合される外側ケース20とに分割して製作される。内側ケース18の中央部には、ホイール6と同軸を成すよう回転軸28が突設されて、回転ケース8+10に結合されたベアリング4をこの回転軸28に結合することにより、回転ケース8+10を保護ケース18+20の内部において回転可能に装着することができる。ここで、この保護ケース18+20の外側ケース20は、透明な合成樹脂材料で製作し、この外側ケース20を通して、回転ケース8+10および回転ケース8+10に装着された図案板12+14を、肉眼で観察し得るように構成する。
【００２１】
ホイール6に保護ケース18+20の内側ケース18を装着し、この内側ケース18の回転軸28に回転ケース8+10を装着した後、内側ケース18の外部に外側ケース20を装着することにより、組立てを完了することができる。
【００２２】
このように構成された自動車用ホイールカバーは、内部に液体が充填された回転ケース8+10を、ベアリング4を介して自動車のホイール6に回転可能に装着し、この回転ケース8+10の内部に図案板12+14を設置する。ここで、回転ケース8+10に充填された液体は、図案板12+14が回転ケース8+10のフローティングチャンバー2内で浮かぶようにするだけでなく、図案板12+14が動揺した場合、それに対する抵抗力を発生させて、図案板12+14の動揺を急速に鎮静させる作用をする。加えて、回転ケース8+10が回転または振動するに従って発生する運動エネルギーを吸収して、図案板12+14が揺動しないようにするとともに、回転ケース8+10が回転する場合にその回転を妨げる機能をもする。
【００２３】
したがって、車輌が高速で進行することによりホイール6が高速回転しても、回転ケース8+10はほとんど回転しない。回転ケース8+10が回転をしないことによって、回転ケース8+10のフローティングチャンバー2に充填された液体は安定状態を維持するため、このフローティングチャンバー2に浮かんでいる図案板12+14もまた回転しない。車輌が急に加速または減速をするか、または車輌が突起部や凹凸地を通過するとき、ホイール6に振動が発生しても、液体が衝撃を吸収して、図案板12+14が回転したり揺動したりすることが防止される。このようにして、図案板12+14が回転や揺動をしないようになることにより、車輌の走行時にも、また加減速時にも、常に図案板12+14に描かれた図案を確実に見ることができるため、装飾効果が非常に高いという利点がある。
【００２４】
回転ケース8+10が偏心していた場合、車輌が加減速したり突起部を通過したりするとき、回転ケース8+10自体が回転することがあるため、回転ケース8+10は偏心を有しないよう、中心部をホイール6に正しく装着しなければならない。
【００２５】
回転軸28を有する保護ケース18+20を自動車のホイール6に装着し、回転ケース8+10をこの保護ケース18+20の回転軸28に装着して、回転ケース8+10を保護ケース18+20の内部に収納することにより、回転ケース8+10やベアリング4が、異物によって汚染されたり損傷したりするのを防止することができるという利益が得られる。
【００２６】
図示した実施例の場合、図案板12+14はディスク12の外側面に図案シート14を貼り付けて構成してあるが、必要によってはディスク12の外側面にさまざまな形状の絵や模様などを、立体的に直接成形することも可能である。また、このような図案板12+14には、単純な絵や模様を形成することに止まらず、種々の広告文や絵などを記載して広告効果を得ることができるように構成することも可能である。
【００２７】
回転ケース8+10のフローティングチャンバー2の内部や、図案板12+14の周囲に突起を設けると、フローティングチャンバー2の内部に充填された流体が流動し難くなるため、いっそう強い抵抗力を発生させて、図案板12+14が振動したときにも、その振動を迅速に鎮静させることができる。
【図面の簡単な説明】
【００２８】
【図１】本発明による自動車用ホイールカバーを図示した縦断面図。
【図２】図１のホイールカバーの分解斜視図。
【図３】図１のホイールカバーの装着状態を示す斜視図。
【符号の説明】
【００２９】
２  フローティングチャンバー
４  ベアリング
６  車輌のホイール
８  ケース本体
１０  カバー
８＋１０  回転ケース
１２  ディスク
１４  図案シート
１２＋１４  図案板
１６  重錘
１８  内側ケース
２０  外側ケース
１８＋２０  保護ケース
２２  挿入部
２８  回転軸
【国際公開パンフレット】
2004535973.tif 000003
2004535973.tif 000004
2004535973.tif 000005
2004535973.tif 000006
2004535973.tif 000007
2004535973.tif 000008
2004535973.tif 000009
2004535973.tif 000010
2004535973.tif 000011
2004535973.tif 000012
2004535973.tif 000013
2004535973.tif 000014
2004535973.tif 000015
2004535973.tif 000016
2004535973.tif 000017
【国際調査報告】
2004535973.tif 000018
2004535973.tif 000019